(57)【要約】【課題】遅延消灯中に調光レベルの設定操作が行われた場合は遅延消灯させずに照明負荷を調光点灯させることができる壁取付用スイッチを提供する。【解決手段】照明負荷１００を点灯させる点灯操作、及び、消灯させる消灯操作は、操作領域を指でたたくタップ操作であり、照明負荷１００の調光レベルを設定する設定操作は、操作領域を指でなぞるスライド操作である。信号処理部１１は、操作領域の裏側に配置されたタッチセンサ１２の出力をもとにタップ操作又はスライド操作を検出する。信号処理部１１は、照明負荷１００の点灯中にタップ操作を検出すると、所定の遅延時間が経過した時点で照明負荷１００を消灯させる。信号処理部１１は、照明負荷１００を消灯させるためのタップ操作時から遅延時間が経過するまでの間にスライド操作を検出すると、照明負荷１００の調光レベルを変化させ、遅延時間の経過後も照明負荷１００を点灯させる。【選択図】図１
2014120208.tif 000002
【特許請求の範囲】
【請求項１】
照明負荷を点灯させる点灯操作及び前記照明負荷を消灯させる消灯操作を受け付ける第１操作入力部と、
前記照明負荷の調光レベルを設定する設定操作を受け付ける第２操作入力部と、
前記第１操作入力部が点灯操作を受け付けると前記照明負荷を点灯させ、前記第２操作入力部が設定操作を受け付けると設定操作に応じて前記照明負荷の調光レベルを調整する点灯制御部とを備え、
前記点灯制御部は、前記照明負荷の点灯中に前記第１操作入力部が消灯操作を受け付けると、消灯操作時から所定の遅延時間が経過した時点で前記照明負荷を消灯させる遅延消灯機能を備え、
前記点灯制御部は、消灯操作時から前記遅延時間が経過するまでの間に前記第２操作入力部が設定操作を受け付けると、遅延消灯機能を無効にし、設定操作に応じた調光レベルで前記照明負荷を調光点灯させることを特徴とする壁取付用スイッチ。
【発明の詳細な説明】
【技術分野】
【０００１】
本発明は、壁取付用スイッチに関するものである。
【背景技術】
【０００２】
従来、押操作部のオン操作に応じて照明負荷を点灯させるとともに、押操作部のオフ操作に応じて照明負荷を消灯させ、調光時間帯に押操作部がオン操作された場合は照明負荷を調光点灯させる照明制御スイッチがあった（例えば特許文献１参照）。この照明制御スイッチは、調光時間帯での調光レベルを設定するために明るさ設定ボリュームを備えていた。
【先行技術文献】
【特許文献】
【０００３】
【特許文献１】特開２００８−４５２０号公報
【発明の概要】
【発明が解決しようとする課題】
【０００４】
上記の特許文献１に記載された照明制御スイッチは、押操作部がオフ操作されると、オフ操作前の点灯レベルよりも暗い所定の点灯レベルで照明負荷を一定時間点灯させた後、照明負荷を消灯させる機能を備えていた。この照明制御スイッチは、オフ操作時から一定時間が経過するまでの間に照明負荷を減光点灯させた状態で、明るさ設定ボリュームを用いて調光時間帯での調光レベルが変更された場合でも、一定時間の経過後に照明負荷を消灯させていた。
【０００５】
ところで、照明制御用のスイッチとして、調光操作に応じて照明負荷を調光する調光機能を備えたスイッチや、消灯操作が行われてから一定時間後に照明負荷を消灯させる遅延消灯機能を備えたスイッチが従来提案されている。
【０００６】
そして、顧客ニーズの多様化に伴い、調光機能と遅延消灯機能の両方を備えたスイッチが望まれている。
【０００７】
しかしながら、調光機能と遅延消灯機能の両方を備えたスイッチが使用される場合に、周囲が明るい昼間に、照明負荷が暗めの調光レベルで点灯されていると、消灯中と勘違いした操作者がオン操作を行おうとして、実際にはオフ操作を行ってしまう可能性があった。そして、オン操作を行ったつもりの操作者が、調光レベルの設定操作を続けて行った場合、調光レベルの設定操作を行っても、遅延消灯機能により所定時間の経過後に消灯されてしまうため、せっかく行った調光レベルの設定操作が無駄になるという問題があった。
【０００８】
本発明は上記課題に鑑みて為されたものであり、その目的とするところは、遅延消灯中に調光レベルの設定操作が行われた場合は遅延消灯させずに照明負荷を調光点灯させることができる壁取付用スイッチを提供することにある。
【課題を解決するための手段】
【０００９】
上記課題を解決するために、本発明の壁取付用スイッチは、第１操作入力部と、第２操作入力部と、点灯制御部とを備える。第１操作入力部は、照明負荷を点灯させる点灯操作及び照明負荷を消灯させる消灯操作を受け付ける。第２操作入力部は、照明負荷の調光レベルを設定する設定操作を受け付ける。点灯制御部は、第１操作入力部が点灯操作を受け付けると照明負荷を点灯させ、第２操作入力部が設定操作を受け付けると設定操作に応じて照明負荷の調光レベルを制御する。点灯制御部は、照明負荷の点灯中に第１操作入力部が消灯操作を受け付けると、消灯操作時から所定の遅延時間が経過した時点で照明負荷を消灯させる遅延消灯機能を備える。そして、点灯制御部は、消灯操作時から遅延時間が経過するまでの間に第２操作入力部が設定操作を受け付けると、遅延消灯機能を無効にし、設定操作に応じた調光レベルで照明負荷を調光点灯させることを特徴とする。
【発明の効果】
【００１０】
本発明の壁取付用スイッチが、周囲が明るい昼間などに照明負荷を調光点灯させている状態で、消灯中と勘違いした操作者が、点灯操作を行おうとして実際には消灯操作を行った後、調光レベルを設定する操作を行う場合がある。本発明によれば、第１操作入力部が消灯操作を受け付けてから遅延時間が経過するまでの間に、第２操作入力部が設定操作を受け付けると、点灯制御部は、遅延消灯機能を無効にして、遅延時間の経過後も設定操作によって設定された調光レベルで照明負荷を点灯させている。よって、調光レベルの設定を行った操作者の意図通りに照明負荷が点灯するから、操作者の行った調光レベルの設定作業が無駄にならず、操作者の意図した調光レベルで照明負荷を点灯させることができる。
【図面の簡単な説明】
【００１１】
【図１】本実施形態の壁取付用スイッチのブロック図である。
【図２】同上の施工状態を示す正面図である。
【図３】同上の動作を説明する状態遷移図である。
【発明を実施するための形態】
【００１２】
本発明に係る壁取付用スイッチの実施形態を図１〜図３に基づいて説明する。
【００１３】
本実施形態の壁取付用スイッチ１は、調光制御が可能な照明負荷１００の動作を制御するために用いられる。尚、照明負荷１００は、壁取付用スイッチ１から入力される調光信号Ｓ１の電圧レベルに応じて、光源である発光ダイオード（図示せず）の調光レベルを変化させるようなＬＥＤ照明器具である。
【００１４】
図２は、壁取付用スイッチ１が壁２００に取り付けられた状態を正面から見た図であり、以下の説明では特に断りがないかぎり、図２に示す向きにおいて上下左右の方向を規定して説明を行う。
【００１５】
壁取付用スイッチ１の器体２０は合成樹脂により箱型に形成されており、器体２０を前方から見た形状は縦長の（左右方向よりも上下方向の方が長い）矩形状に形成されている。この器体２０は、埋込型配線器具を壁２００に取り付けるために使用される取付枠（図示せず）を用いて、壁２００に取り付けられる。取付枠の前側には化粧枠２１が取り付けられ、化粧枠２１の中央の開口２１ａから、器体２０の前面が露出する。尚、取付枠は、例えば特開２００９−７４９３６号公報に開示されているような従来周知のものであるから、図示及び説明は省略する。
【００１６】
図１は壁取付用スイッチ１のブロック図である。この壁取付用スイッチ１は、信号処理部１１と、複数個のタッチセンサ１２と、出力回路１３と、複数個の発光ダイオード（ＬＥＤ）１４と、ブザー１５と、ドライブ回路１６，１７と、電源回路１８と、メモリ１９とを備える。尚、図１の回路を構成する回路部品が実装された回路基板（図示せず）は、器体２０の内部に収納されている。
【００１７】
信号処理部１１は例えばマイクロコンピュータからなり、壁取付用スイッチ１の全体的な制御を行う。信号処理部１１は、タッチセンサ１２の出力をもとにタップ操作或いはスライド操作を検出すると、検出した操作内容（タップ操作或いはスライド操作）に応じた負荷制御を行う。本実施形態では、信号処理部１１は、タップ操作に応じて照明負荷１００の点灯、消灯を切り替える。また信号処理部１１は、上向きのスライド操作を検出すると、照明負荷１００の調光レベルをより明るいレベルに設定し、下向きのスライド操作を検出すると、照明負荷１００の調光レベルをより暗いレベルに設定する。
【００１８】
複数個のタッチセンサ１２は、静電容量型のセンサでそれぞれ構成されており、各タッチセンサ１２の出力は信号処理部１１に入力されている。複数個のタッチセンサ１２は、器体２０の前壁の裏側に、上下方向に沿って一列に並ぶように等間隔に配置されている。器体２０は合成樹脂で形成されているので、タップ操作又はスライド操作を行うために器体２０の前面（以下、「操作領域」と言う。）２０ａに指で触れると、指で触れた部位の裏側付近にあるタッチセンサ１２の静電容量値が変化し、それに応じて出力が変化する。複数のタッチセンサ１２は、隣接するタッチセンサ１２の検出範囲が部分的に重なるように、器体２０の上端付近から下端付近まで配置されているので、上下方向において操作領域２０ａの略全域で操作を検出できるようになっている。ここにおいて、タップ操作とは、操作領域２０ａを指で軽くたたく操作を意味し、スライド操作とは、操作領域２０ａを指でなぞる操作を意味する。
【００１９】
出力回路１３は、信号処理部１１からの制御命令に応じて出力信号Ｓ１の電圧レベルを変化させる。出力回路１３の出力信号Ｓ１は照明負荷１００に入力され、照明負荷１００は、出力信号Ｓ１の電圧レベルに応じて光源である発光ダイオード（図示せず）の調光レベルを制御する。
【００２０】
複数個（例えば７個）の発光ダイオード１４の各々は、例えばＲＧＢフルカラー発光の発光ダイオードで構成されている。複数個の発光ダイオード１４は、器体２０の前壁の裏側に、上下方向に沿って一列に並ぶように等間隔に配置されている。尚、器体２０の前壁は、発光ダイオード１４の発光が透過可能な程度の厚みに形成されている。
【００２１】
ドライブ回路１６は、信号処理部１１からの入力信号に応じて、複数個の発光ダイオード１４の点灯／消灯、並びに、点灯させる場合はその発光色を個別に制御する。
【００２２】
ドライブ回路１７は、信号処理部１１からの入力信号に応じてブザー１５を鳴動させる。
【００２３】
電源回路１８は、ＡＣ／ＤＣ変換部（ＡＣ／ＤＣ）１８ａと、ＬＤＯ（Low DropOut）レギュレータ（ＬＤＯ）１８ｂとで構成される。ＡＣ／ＤＣ変換部１８ａは、商用交流電源から供給される交流電力を直流に変換する。ＬＤＯレギュレータ１８ｂは、ＡＣ／ＤＣ変換部１８ａの出力電圧を所定電圧に降圧して信号処理部１１に供給する。尚、電源回路１８の構成は本実施形態に限定されるものではなく、適宜変更が可能である。
【００２４】
メモリ１９は、例えばＥＥＰＲＯＭなどの電気的に書き換え可能な不揮発性メモリからなり、照明負荷１００の調光レベルを記憶する。
【００２５】
ここで、信号処理部１１は、タップ操作が行われた場合と、スライド操作が行われた場合とで異なる負荷制御を行うのであるが、タップ操作とスライド操作の判別は以下のような方法で行っている。
【００２６】
信号処理部１１には、複数個のタッチセンサ１２の各々から、静電容量値に応じたセンサ出力が入力されている。信号処理部１１は、各タッチセンサ１２から入力されるセンサ出力をもとに、各タッチセンサ１２の静電容量値と所定の基準値との高低を比較することによって、操作領域２０ａにおいて各タッチセンサ１２に対応する部位に指（人体）が触れているか否かを判断する。また信号処理部１１には、各タッチセンサ１２の配置が予め登録されている。
【００２７】
そして、操作者の指が操作領域２０ａに触れた際に、信号処理部１１は、指が触れたことを最初に検知したタッチセンサ１２の位置と、指が触れたことを最後に検知したタッチセンサ１２の位置をもとに、操作領域２０ａに触れた指の移動量を求める。信号処理部１１は、上述の処理で求めた指の移動量と所定の閾値との大小を比較し、指の移動量が閾値よりも小さければタップ操作と判断し、指の移動量が閾値以上であればスライド操作と判断する。また、信号処理部１１は、操作者の操作をスライド操作と判断した場合、指が触れたことを最初に検知したタッチセンサ１２の位置と、指が触れたことを最後に検知したタッチセンサ１２の位置とを比較した結果から、スライド操作の方向を判断する。すなわち、指が触れたことを最初に検知したタッチセンサ１２の位置よりも、最後に検知したタッチセンサ１２の位置の方が下側であれば、信号処理部１１はスライド操作の方向が下向きと判断する。一方、指が触れたことを最初に検知したタッチセンサ１２の位置よりも最後に検知したタッチセンサ１２の位置の方が上側であれば、信号処理部１１はスライド操作の方向が上向きと判断する。尚、上記の閾値は、指が動いていないと見なせる程度の値より大きく、且つ、スライド操作を行う場合の平均的な移動量よりも小さい値であって、予め設定されている。
【００２８】
本実施形態では、照明負荷１００を点灯させる点灯操作、及び、照明負荷１００を消灯させる消灯操作は、器体２０の操作領域２０ａをタップする操作からなり、照明負荷１００の調光レベルを設定する設定操作は上向き或いは下向きのスライド操作からなる。そして、点灯操作及び消灯操作を受け付ける第１操作入力部は、タッチセンサ１２と、タッチセンサ１２のセンサ出力をもとにタッチ操作を検出する信号処理部１１とで構成されている。また、設定操作を受け付ける第２操作入力部は、タッチセンサ１２と、タッチセンサ１２のセンサ出力をもとにスライド操作を検出する信号処理部１１とで構成されている。尚、第１操作入力部及び第２操作入力部は本実施形態の構成に限定されるものではなく、第１操作入力部及び第２操作入力部を、タップ操作やダブルタップ操作やスライド操作など指で触る操作であって、互いに異なる操作を検出する操作入力部で構成してもよい。また、第１操作入力部及び第２操作入力部を、別個の押釦スイッチなどのスイッチで構成してもよい。
【００２９】
次に、壁取付用スイッチ１の動作について説明する。信号処理部１１は、上述のようにして操作者によるタップ操作、或いは、スライド操作を検出すると、タップ操作、或いは、スライド操作に応じた負荷制御を行っており、その動作を表す状態遷移図を図３に示す。
【００３０】
照明負荷１００が消灯している状態（状態ＳＴ１）では、信号処理部１１は、ドライブ回路１６を制御して、例えば上下方向の中央にある発光ダイオード１４のみを緑色点灯させて、位置表示を行う。
【００３１】
照明負荷１００の消灯中に、操作者が操作領域２０ａを指でたたく操作（タップ操作）を行うと（イベントｔ１）、信号処理部１１は、タッチセンサ１２のセンサ出力をもとにタップ操作を検出する。信号処理部１１は、タップ操作を検出すると、前回点灯時の調光レベルをメモリ１９から読み出す。信号処理部１１は、読み出した調光レベルに応じた調光信号Ｓ１を出力回路１３から照明負荷１００に出力させ、照明負荷１００を前回点灯時の調光レベルで点灯させる（状態ＳＴ２）。また信号処理部１１は、ドライブ回路１７を制御してブザー１５から報知音（例えば「ピ」という音）を鳴動させ、タッチ操作を受け付けたことを操作者に報知する。また信号処理部１１は、ドライブ回路１６を制御して、下側からｎ個（但し、個数ｎは調光レベルに応じた個数）の発光ダイオード１４を赤色点灯させ、残りの発光ダイオード１４を緑色点灯させることで、調光レベルを視覚的に表示する。
【００３２】
照明負荷１００が調光点灯している状態（状態ＳＴ２）で、操作者が操作領域２０ａのタップ操作を行うと（イベントｔ２）、信号処理部１１は、タッチセンサ１２のセンサ出力をもとにタップ操作を検出する。信号処理部１１は、点灯中にタップ操作を検出すると、所定の遅延時間（例えば３秒〜数分の間で設定）の限時動作を開始し、遅延時間の限時動作を行う間は照明負荷１００の点灯状態を維持する（状態ＳＴ３）。
【００３３】
そして、操作者が操作領域２０ａの操作を行わないままに遅延時間の限時動作が完了すると（イベントｔ３）、信号処理部１１は、出力回路１３から照明負荷１００に消灯信号を出力させ、照明負荷１００を消灯させる（状態ＳＴ１）。また信号処理部１１は、ドライブ回路１７を制御してブザー１５から報知音（例えば「ピー」という音）を鳴動させて、消灯状態に切り替えたことを報知する。また信号処理部１１は、ドライブ回路１６を制御して、例えば上下方向の中央にある発光ダイオード１４のみを緑色で点灯させ、消灯状態に切り替わったことを報知する。
【００３４】
また、信号処理部１１が遅延時間の限時動作を行っている間に（状態ＳＴ３）、操作者が消灯操作を取り消すために、操作領域２０ａをたたくタップ操作を行うと（イベントｔ４）、信号処理部１１は、タッチセンサ１２のセンサ出力をもとにタップ操作を検出する。この時、信号処理部１１は、遅延時間の限時動作（遅延消灯機能）を無効にして、照明負荷１００の調光点灯を継続する（状態ＳＴ２）。
【００３５】
また、照明負荷１００が調光点灯している状態（状態ＳＴ２）で、操作者が操作領域２０ａのスライド操作を行うと（イベントｔ５）、信号処理部１１は、タッチセンサ１２のセンサ出力をもとにスライド操作及びその操作方向を検出する。スライド操作の操作方向が上向きの場合、信号処理部１１は、メモリ１９から読み出した調光レベルを所定量だけ明るく変化させ、変更後の調光レベルをメモリ１９に記憶させる（状態ＳＴ４）。また、スライド操作の操作方向が下向きの場合、信号処理部１１は、メモリ１９から読み出した調光レベルを所定量だけ暗く変化させ、変更後の調光レベルをメモリ１９に記憶させる（状態ＳＴ４）。上述のようにスライド操作に応じて調光レベルの設定が変更されると、信号処理部１１は、変更後の調光レベルに応じた調光信号Ｓ１を出力回路１３から照明負荷１００に出力し（イベントｔ７）、変更後の調光レベルで照明負荷１００を点灯させる（状態ＳＴ２）。また信号処理部１１は、ドライブ回路１６を制御して、下側からｎ個（但し、個数ｎは変更後の調光レベルに応じた個数）の発光ダイオード１４を赤色点灯させ、残りの発光ダイオード１４を緑色点灯させることで、調光レベルを視覚的に表示する。尚、スライド操作が行われた時点から、調光レベルの設定が変更されて、照明負荷１００の明るさが変更されるまでの時間は０．１〜０．５秒程度であり、操作に対するレスポンスの遅さを操作者が感じない程度の短い時間となっている。
【００３６】
また、消灯待ちで点灯している状態（状態ＳＴ３）で、操作者が調光レベルを変更するためにスライド操作を行うと（イベントｔ６）、信号処理部１１は、タッチセンサ１２のセンサ出力をもとにスライド操作及びその操作方向を検出する。スライド操作の操作方向が上向きの場合、信号処理部１１は、メモリ１９から読み出した調光レベルを所定量だけ明るく変化させ、変更後の調光レベルをメモリ１９に記憶させる（状態ＳＴ４）。また、スライド操作の操作方向が下向きの場合、信号処理部１１は、メモリ１９から読み出した調光レベルを所定量だけ暗く変化させ、変更後の調光レベルをメモリ１９に記憶させる（状態ＳＴ４）。スライド操作に応じて調光レベルの設定が変更されると、信号処理部１１は、変更後の調光レベルに応じた調光信号Ｓ１を出力回路１３から照明負荷１００に出力し（イベントｔ７）、変更後の調光レベルで照明負荷１００を点灯させる（状態ＳＴ２）。また信号処理部１１は、ドライブ回路１６を制御して、下側からｎ個（但し、個数ｎは変更後の調光レベルに応じた個数）の発光ダイオード１４を赤色点灯させ、残りの発光ダイオード１４を緑色点灯させることで、調光レベルを視覚的に表示する。これにより、消灯操作が行われて消灯待ちの状態で調光点灯している場合に、別の操作者が調光レベルを変更するためにスライド操作を行うと、信号処理部１１は、調光レベルの設定を変更し、変更後の調光レベルで照明負荷１００を点灯させている。したがって、消灯操作時から遅延時間が経過した時点で照明負荷１００が自動的に消灯されることはなく、遅延時間の経過後も照明負荷１００は点灯するから、操作者の行った調光レベルの設定作業が無駄にならず、変更後の調光レベルで点灯させることができる。
【００３７】
以上説明したように、壁取付用スイッチ１は、第１操作入力部と、第２操作入力部と、点灯制御部とを備える。第１操作入力部は、照明負荷１００を点灯させる点灯操作、及び、照明負荷１００を消灯させる消灯操作（本実施形態では操作領域２０ａのタップ操作）を受け付ける。第２操作入力部は、照明負荷１００の調光レベルを設定する設定操作（本実施形態では操作領域２０ａを指でなぞるスライド操作）を受け付ける。点灯操作部は、第１操作入力部が点灯操作を受け付けると照明負荷１００を点灯させ、第２操作入力部が設定操作を受け付けると設定操作に応じて照明負荷１００の調光レベルを調整する。また点灯制御部は、照明負荷１００の点灯中に第１操作入力部が消灯操作を受け付けると、消灯操作時から所定の遅延時間が経過した時点で照明負荷１００を消灯させる遅延消灯機能を備える。そして、点灯制御部は、消灯操作時から遅延時間が経過するまでの間に第２操作入力部が設定操作を受け付けると、遅延消灯機能を無効にし、設定操作に応じた調光レベルで照明負荷１００を調光点灯させている。尚、本実施形態では、タッチセンサ１２と、タッチセンサ１２の出力からタップ操作及びスライド操作を検出する信号処理部１１とで第１操作入力部及び第２操作入力部が構成されている。また、信号処理部１１と出力回路１３とで点灯制御部が構成されている。
【００３８】
これにより、消灯操作後に消灯待ちの状態で調光点灯している場合に、別の操作者が調光レベルを設定する設定操作を行うと、信号処理部１１は、第２操作入力部が受け付けた設定操作に基づいて調光レベルの設定を変更する。そして、信号処理部１１は、消灯操作による遅延消灯機能を無効にし、変更後の調光レベルで照明負荷１００を点灯させている。したがって、遅延時間が経過した時点で照明負荷１００が自動的に消灯されることはなく、遅延時間の経過後も照明負荷１００は変更後の調光レベルで点灯し続けるから、操作者の行った調光レベルの設定作業が無駄にならず、変更後の調光レベルで点灯させることができる。
【符号の説明】
【００３９】
１  壁取付用スイッチ
１１  信号処理部（点灯制御部、第１操作入力部、第２操作入力部）
１２  タッチセンサ（第１操作入力部、第２操作入力部）
１３  出力回路（点灯制御部）
１００  照明負荷
【図１】
2014120208.tif 000003
【図２】
2014120208.tif 000004
【図３】
2014120208.tif 000005